(57)【要約】【課題】自端末の受信データが正しく無い場合に、自端末と通信相手端末のどちらの通信環境が悪いのかを判定することが可能な無線端末装置を得ること。【解決手段】本無線端末装置は、無線信号を受信するアンテナ部１と、無線信号をベースバンド信号に変換するＲＦ部２と、ベースバンド信号を復号して符号データを生成する際に、誤り検出を行うベースバンド処理部３と、符号データを復号して受信データを生成する際に、誤り検出を行うマルチメディア処理部４と、マルチメディア処理部４での誤り検出の結果に基づいて、通信相手端末の上り通信品質が劣化していると判定する通信品質判定部５を備えている。【選択図】図１
2007166100.tif 000002
【特許請求の範囲】
【請求項１】
アクセスポイントを経由して通信相手端末と通信を行う無線端末装置において、
前記アクセスポイントからの無線信号を受信するアンテナ部と、
前記アンテナ部が受信した前記無線信号をベースバンド信号に変換する無線通信部と、
前記無線通信部が変換した前記ベースバンド信号を復号して符号データを生成する際に、誤り検出を行うベースバンド処理部と、
前記ベースバンド処理部が生成した前記符号データを復号して受信データを生成する際に、誤り検出を行うマルチメディア処理部と、
前記マルチメディア処理部での誤り検出の結果に基づいて、前記通信相手端末から前記アクセスポイントまでの上り通信品質が劣化していると判定する通信品質判定部とを備えた無線端末装置。
【請求項２】
前記通信品質判定部は、前記ベースバンド処理部での誤り検出の結果に基づいて、前記アクセスポイントから自端末までの下り通信品質が劣化していると判定することを特徴とする請求項１記載の無線端末装置。
【請求項３】
前記通信品質判定部が、前記通信相手端末の上り通信品質が劣化していると判定した場合に、自端末のユーザに前記通信相手端末の上り通信品質の劣化を通知する通知手段を備えたことを特徴とする請求項１記載の無線端末装置。
【請求項４】
前記通知手段が、通信品質アラームを鳴動するスピーカであることを特徴とする請求項３記載の無線端末装置。
【請求項５】
前記通知手段が、警告画像を表示部に表示する画像処理部であることを特徴とする請求項３記載の無線端末装置。
【請求項６】
前記通信品質判定部が前記通信相手端末の上り通信品質が劣化していると判定した場合に、
前記マルチメディア処理部が、前記通信相手端末の上り通信品質の劣化に関する情報を、送信データに付加することを特徴とする請求項１記載の無線端末装置。
【請求項７】
前記通信相手端末の上り通信品質の劣化に関する情報が、警告音声であり、
前記マルチメディア処理部が、前記警告音声を前記送信データに付加する音声処理部を備えることを特徴とする請求項６記載の無線端末装置。
【請求項８】
前記通信相手端末の上り通信品質の劣化に関する情報が、警告画像であり、
前記マルチメディア処理部が、前記警告画像を前記送信データに付加する画像処理部を備えることを特徴とする請求項６記載の無線端末装置。
【発明の詳細な説明】
【技術分野】
【０００１】
この発明は、音声通話やテレビ電話等を行う無線端末装置に関するものである。
【背景技術】
【０００２】
携帯電話等の無線端末装置に搭載される通話品質アラーム鳴動機能は、基地局等のアクセスポイントから自端末への下り通信品質を判定し、品質劣化時には、自端末のユーザに対してアラームを用いて通知する機能である。これを従来技術（１）とする。
【０００３】
また、特許文献１記載の画像送信機能付き携帯電話端末では、自端末の下り通信品質を判定し、得られた品質劣化に関する情報を任意の認識可能な画像に置き換え、テレビ電話の送信画像に付加することで、通信相手端末に対して自端末の下り通信品質の劣化の情報を送信している。これを従来技術（２）とする。
【０００４】
特許文献２記載の携帯端末装置では、自端末と基地局等のアクセスポイント間で信号を送受信する際の、送信電力値の時間的推移に基づき、自端末からアクセスポイントへの上り通信品質を判定し、自端末のユーザに対して、自端末の上り通信品質の劣化を通知している。これを従来技術（３）とする。
【０００５】
技術（１）は、自端末の下り通信品質の劣化を、自端末のユーザに通知する技術である。また、技術（２）は、自端末の下り通信品質の劣化に関する情報を、通信相手端末に送信し、通信相手に通知する技術である。更に、技術（３）は、自端末の上り通信品質の劣化を自端末のユーザに通知する技術である。
これらの従来技術（１）〜（３）からは、通信相手端末の上り通信品質の劣化を、自端末で検出することができなかった。
【０００６】
【特許文献１】特許第３４８７２８０号公報
【特許文献２】特許第３５６２４５９号公報
【発明の開示】
【発明が解決しようとする課題】
【０００７】
従来の無線端末装置は、以上のように構成されていたので、通信相手端末からアクセスポイントまでの上り通信品質の劣化を、自端末で検出することができないという課題があった。
【０００８】
この発明は上記のような課題を解消するためになされたもので、自端末の受信データが正しく無い場合に、自端末と通信相手端末のどちらの通信環境が悪いのかを判定することが可能な無線端末装置を得ることを目的とする。
【課題を解決するための手段】
【０００９】
この発明に係る無線端末装置は、アクセスポイントを経由して通信相手端末と通信を行う無線端末装置であり、アクセスポイントからの無線信号を受信するアンテナ部と、アンテナ部が受信した無線信号をベースバンド信号に変換する無線通信部と、無線通信部が変換したベースバンド信号を復号して符号データを生成する際に、誤り検出を行うベースバンド処理部と、ベースバンド処理部が生成した符号データを復号して受信データを生成する際に、誤り検出を行うマルチメディア処理部と、マルチメディア処理部での誤り検出の結果に基づいて、通信相手端末からアクセスポイントまでの上り通信品質が劣化していると判定する通信品質判定部とを備えたものである。
【発明の効果】
【００１０】
この発明によれば、通信相手端末からアクセスポイントまでの上り通信品質の劣化を、自端末で検出することができる。
【発明を実施するための最良の形態】
【００１１】
実施の形態１．
以下、この発明の実施の形態１について説明する。図１は、この発明の実施の形態１に係る無線端末装置の全体構成図である。本発明の無線端末装置を自端末とし、通信相手端末とアクセスポイント（基地局等）を経由して通信する、無線通信システムとして説明する。
【００１２】
図１において、アンテナ部１は、無線信号を送受信し、ＲＦ（Radio Frequency）部２（無線周波数部）に接続されている。
ＲＦ部２は、アンテナ部１から受信した高周波の無線信号を低周波のベースバンド信号に変換する。また、低周波のベースバンド信号を高周波の無線信号に変換してアンテナ部１に出力する。
【００１３】
ベースバンド処理部３は、ＲＦ部２で変換されたベースバンド信号に対して復号処理を行い、得られた符号データをマルチメディア処理部４に出力する。更に、復号時の誤り検出に関する情報（以下、通信品質情報）を、通信品質判定部５に出力する。
また、ベースバンド処理部３は、マルチメディア処理部４から入力される符号データを、更に符号化し、ベースバンド信号としてＲＦ部２に出力する。
【００１４】
マルチメディア処理部４は、音声処理部６を備えている。音声処理部６は、ベースバンド処理部４から受信した符号データに対して復号処理を行い、得られた音声（受信データ）をＳＰＥＡＫＥＲ  ７（音声出力部：通知手段）に出力する。更に、復号時の通信品質情報を、通信品質判定部５に出力する。
また、ＭＩＣ  ８（音声入力部）から入力される音声に対して符号処理を行い、得られた符号データ（音声符号データ）をベースバンド処理部３に出力する。
【００１５】
音声符号化方式として、誤り検出・訂正能力がない符号化方式が用いられている場合には、音声処理部６では復号時に通信品質情報を得ることができない。
しかし、復号した音声符号データは幾つかの種別に分類されており、この分類された音声符号データには一定の出現パターンが規定されている。
従って、音声符号化方式として、誤り検出・訂正能力がない符号化方式が採用されていたとしても、音声処理部６は、音声符号データがこの出現パターンから逸脱した場合には、誤りが発生しているとして（誤り検出）、通信品質情報を得ることが可能である。
【００１６】
通信品質判定部５は、ベースバンド処理部３と、マルチメディア処理部４内の音声処理部６から入力される通信品質情報に基づいて、アクセスポイントから自端末までの下り通信品質、または通信相手端末からアクセスポイントまでの上り通信品質を判定し、判定結果を制御部９に出力する。
【００１７】
制御部９は、通信品質判定部５からの入力内容に基づいて、ＳＰＥＡＫＥＲ  ７を制御して、通話品質アラームを鳴動させる。通話品質アラームは予め複数パターン用意し、通知されたユーザが、自端末の下り通信品質の劣化か、それとも通信相手端末の上り通信品質の劣化かを識別できるようにしてもよい。ＳＰＥＡＫＥＲ  ７は自端末のユーザへの通知手段に相当する。
また、制御部９は、入力キー等の操作部１０から入力されるユーザの操作に対応して、各部の制御を行う。更に、必要に応じてメモリ部１１へアクセスし、アプリケーションデータの読み出しやユーザの入力データの書き込み等を行う。
本構成により、既存の通信システムを変更することなく、通信相手端末からアクセスポイントへの上り通信品質の劣化を自端末のユーザに知らせることが可能となる。
【００１８】
次に、動作について説明する。図２は、図１中の通信品質判定部における判定方法を示したフローチャートである。
図２において、先ず、通信品質判定部５は、ベースバンド処理部３から通信品質情報を受信する（ステップＳＴ１）。
次に、ベースバンド処理部３から受信した通信品質情報において、誤りが検出されていた場合には、自端末の下り通信品質が劣化していると判定し、ステップＳＴ５へ移行する。一方、誤りが検出されていない場合には、ステップＳＴ３へ移行する（ステップＳＴ２）。
【００１９】
次に、ステップＳＴ３において、マルチメディア処理部４から誤り検出情報を受信する。
次に、マルチメディア処理部４から受信した通信品質情報において、誤りが検出されていた場合には、通信相手端末の上り通信品質が劣化していると判定し、ステップＳＴ５へ移行する。一方、誤りが検出されていない場合には、通信相手端末の上り通信品質は良好であると判定し、ステップＳＴ５へ移行する。
最後に、ステップＳＴ５において、ステップＳＴ２またはステップＳＴ４で得た判定結果を制御部９へ出力する。
【００２０】
図３は、図２中のステップＳＴ２，４における判定理由を説明するための図であり、通信相手端末からアクセスポイントへの上り通信品質の劣化が生じている場合を示す図である。図３は、通信相手端末からアクセスポイントに送信される無線信号が、アクセスポイントまで正しく届かなかった場合の、通信相手端末と自端末との間でのデータの変化を示す。なお、通信相手端末及びアクセスポイントに設置される基地局等については、従来構成のものをそのまま用いることが可能である。
【００２１】
先ず、通信相手端末における処理について説明する。マルチメディア処理部で、送信するデータＡに誤り検出用のビット列ａを付加する。そして、ビット列ａが付加されたデータＡに対して符号処理Ｐを行い、符号データＢを生成する。この符号処理Ｐにより生成された符号データＢは、アクセスポイントではなく、自端末で受信されると復号処理が行われる。
ベースバンド処理部では、符号データＢに、アクセスポイントで復号処理を行う際に使用する誤り検出用ビット列ｂを付加する。そして、ビット列ｂが付加された符号データＢに対して符号処理Ｑを行い、ベースバンド信号Ｘを生成する。この符号処理Ｑにより生成されたベースバンド信号Ｘは、アクセスポイントで受信されると復号処理が行われる。
ＲＦ部では、低周波のベースバンド信号Ｘを高周波の無線信号に変換して、アンテナ部からアクセスポイントへ送信する。
【００２２】
次に、アクセスポイントにおける処理について説明する。アンテナ部で受信した通信相手端末からの高周波の無線信号を、ＲＦ部で低周波のベースバンド信号Ｘ’に変換する。なお、通信相手端末からアクセスポイントへの通信で既に誤りが生じているため、アンテナ部で受信した無線信号には、誤りが重畳している。従って、ベースバンド信号Ｘ’は既にベースバンド信号Ｘと異なるものである。
ベースバンド処理部の受信部では、ベースバンド信号Ｘ’に対して、通信相手端末での符号処理Ｑに対応する復号処理Ｑ’を行い、通信相手端末で付加された誤り検出用のビット列ｂを除去して、符号データＢ’を生成する。この生成された符号データＢ’は、通信相手端末が送信した無線信号に誤りが重畳されているために、通信相手端末のベースバンド処理部への入力データである符号データＢとは異なるものである。
続いて、ベースバンド処理部の送信部では、符合データＢ’に対して、自端末で復号処理を行う際に使用する誤り検出用ビット列ｃを付加する。そして、ビット列ｃが付加された符号データＢ’に対して符号処理Ｒを行い、ベースバンド信号Ｙを生成する。
ＲＦ部では、低周波のベースバンド信号Ｙを高周波の無線信号に変換して、アンテナ部から自端末に送信する。
【００２３】
最後に、自端末における処理について説明する。アンテナ部１で受信したアクセスポイントからの高周波の無線信号を、ＲＦ部２で低周波のベースバンド信号Ｙに変換する。
ベースバンド処理部３では、ベースバンド信号Ｙに対して、アクセスポイントの符号処理Ｒに対応する復号処理Ｒ’を行い、アクセスポイントで付加された誤り検出用のビット列ｃを除去して、符号データＢ’を生成する。生成された符号データＢ’は、アクセスポイントから自端末までの送信路の品質が良好である（誤りが重畳されない）場合、アクセスポイントの送信部への入力データである符号データＢ’と同一であるため、復号処理時に誤りが検出されない。この場合が、図２のステップＳＴ２で“Ｎｏ”と判定された場合に相当する。
マルチメディア処理部４では、符号データＢ’に対して、通信相手端末の符号処理Ｐに対応する復号処理Ｐ’を行い、通信相手端末で付加された誤り検出用のビット列ａを除去してデータＡ’を生成する。この生成されたデータＡ’は、通信相手端末のマルチメディア処理部への入力データであるデータＡと異なるため、復号処理時に誤りが検出される。この場合が、図２のステップＳＴ４で“Ｙｅｓ”と判定された場合に相当する。
【００２４】
以上のように、この実施の形態１によれば、ユーザが本発明に係る無線端末装置を使用するだけで、既存の通信システム（基地局、通信相手端末等）を変更することなく、通信相手端末からアクセスポイントへの上り通信品質の劣化を検出することができる。
また、検出した通信相手端末からアクセスポイントへの上り通信品質の劣化を、通話品質アラームの鳴動等で自端末のユーザに通知することができる。
更に、自端末の下り通信品質の劣化を検出し、同様に通話品質アラームの鳴動等で自端末のユーザに通知することができる。
【００２５】
実施の形態２．
以下、この発明の実施の形態２について説明する。図４は、この発明の実施の形態２に係る無線端末装置の全体構成図である。実施の形態２に係る無線端末装置の構成（図４）は、実施の形態１に係る無線端末装置の構成（図１）のうち、マルチメディア処理部４を変更したものである。従って、実施の形態１と相違する部分についてのみ説明する。
【００２６】
図４において、マルチメディア処理部４は、音声画像分離／結合部１２と音声処理部６と画像処理部１３を備えている。
音声画像分離／結合部１２は、ベースバンド処理部３から受信する符号データに対する分離処理を行い、得られた音声符号データと画像符号データを、それぞれ音声処理部６と画像処理部１３に出力する。また、音声処理部６と画像処理部１３から入力される音声符号データと画像符号データに対して結合処理を行い、得られた符号データをベースバンド処理部３に出力する。
【００２７】
音声処理部６は、音声画像分離／結合部１２から入力される音声符号データに対する復号処理を行い、得られた音声（受信データ）をＳＰＥＡＫＥＲ  ７に出力する。また、ＭＩＣ  ８から入力される音声に対する符合処理を行い、得られた音声符合データを、音声画像分離／結合部１２に出力する。
【００２８】
画像処理部１３は、音声画像分離／結合部１２から入力される画像符号データに対して復号処理を行い、得られた画像データ（受信データ）をＤＩＳＰＬＡＹ  １４（表示部）に出力する。また、ＣＡＭＥＲＡ１５（無線端末装置に付属のデジタルカメラ等：撮像部）から入力される画像（静止画、動画を含む）に対して符号処理を行い、得られた画像符号データを音声画像分離／結合部１２に出力する。
【００２９】
通信品質判定部５は、マルチメディア処理部４内の音声画像分離／結合部１２、音声処理部６、画像処理部１３のうちのいずれか（若しくは複数）が検出した通信品質情報を受信し、自端末の下り通信品質または通信相手端末の上り通信品質を判定し、判定結果を制御部９に通知する。
【００３０】
音声画像多重化方式及び画像符号化方式には、誤り検出・訂正能力のある符号化方式が用いられているために、音声画像分離／結合部１２及び画像処理部１３において、通信品質情報を得ることが可能である。
【００３１】
制御部９は、通信品質判定部５から自端末の下り通信品質の劣化判定を受信した場合には、ＳＰＥＡＫＥＲ７を制御して通話品質アラームを鳴動させる。
一方、通信相手端末の上り通信品質の劣化判定を受信した場合には、画像処理部１３を制御する。制御部９に制御された画像処理部１３は、ＣＡＭＥＲＡ１５から入力された画像（送信データ）に対して、通信相手端末の上り通信品質の劣化を通知するアイコン等の画像（以下、警告画像）をメモリ部１１から読み出して付加する処理を実行する。そして、警告画像を付加した画像に対して符号処理を行い、得られた画像符号化データを音声画像分離結合部１２に出力する。
或いは、制御部９は、画像処理部１３の代わりに音声処理部６を制御する。制御部９に制御された音声処理部６は、ＭＩＣ  ８から入力された音声（送信データ）に対して、通信相手端末の上り通信品質の劣化を通知する音声（以下、警告音声）を付加する処理を実行する。そして、警告音声を付加した音声に対して符合処理を行い、得られた音声符合データを、音声画像分離／結合部１２に出力する。
【００３２】
制御部９は、画像処理部１３と音声処理部６を別々に制御してもよいし、同時に制御してもよい。
なお、上記の警告音声や警告画像（通信相手端末の上り通信品質の劣化に関する情報）は、自端末のＳＰＥＡＫＥＲ  ７やＤＩＳＰＬＡＹ  １４に出力するようにしてもよい。
また、予め複数種類用意し、自端末の下り通信品質の劣化、通信相手端末の上り通信品質の劣化、それぞれに対応させて出力するようにしてもよい。
【００３３】
以上のように、この実施の形態２によれば、実施の形態１の効果に加えて、自端末が検出した通信相手端末からアクセスポイントへの上り通信品質の劣化に関する情報を、通信相手端末に送信して、通信相手端末のユーザ（通信相手）に通知することが可能となる。
【００３４】
実施の形態１，２において、自端末または通信相手端末のユーザに対して通信相手端末の上り通信品質の劣化を通知する方法として、スピーカによるアラーム鳴動や、警告画像の表示等を示した。
本発明ではそれ以外にも、振動モータによるバイブレーション、ＬＥＤやアンテナの明滅、表示部に表示される自端末の下り通信品質を示すアンテナ画像の明滅や色変更、予めメモリ部１１に保存された警告メッセージの文字表示等、を行うようにしてもよい。
また、これらの機能はユーザによりＯＮ／ＯＦＦ設定可能としてもよい。
【図面の簡単な説明】
【００３５】
【図１】この発明の実施の形態１に係る無線端末装置の全体構成図である。
【図２】図１中の通信品質判定部における判定方法を示したフローチャートである。
【図３】図２中のステップＳＴ２，４における判定理由を説明するための図であり、通信相手端末からアクセスポイントへの上り通信品質の劣化が生じている場合を示す図である。
【図４】この発明の実施の形態２に係る無線端末装置の全体構成図である。
【符号の説明】
【００３６】
１  アンテナ部、２  ＲＦ部、３  ベースバンド部、４  マルチメディア処理部、５  通信品質判定部、６  音声処理部、７  ＳＰＥＡＫＥＲ（音声出力部）、８  ＭＩＣ（音声入力部）、９  制御部、１０  操作部、１１  メモリ部、１２  音声画像分離／結合部、１３  画像処理部、１４  ＤＩＳＰＬＡＹ（表示部）、１５  ＣＡＭＥＲＡ（撮像部）。
【図１】
2007166100.tif 000003
【図２】
2007166100.tif 000004
【図３】
2007166100.tif 000005
【図４】
2007166100.tif 000006